(57)【要約】  安定処理土構造体内において使用するためのフェーシング要素（３４）であって、このフェーシング要素が、後面（３２）に開口（３６）を有する中空部分（３７）を少なくとも備え、円筒状芯（５）が、中空部分（３７）内に少なくとも部分的に配置され、２つの連続部分（５１、５２）から構成され、第１の部分（５１）が、端部（５４）にかけて連続的にサイズが縮小し、第２の部分（５２）が、端部（５５）にかけて連続的にサイズが一定でありおよび／または縮小し、Ｌ２≧１．２×ｄ１、およびＡ≧０．２４×ｄ１２であり、Ｌ２が、第１の部分（５１）の端部（５４）と後面（３２）との間の距離であり、ｄ１が、第１の部分（５１）の端部（５４）における円筒状芯（５）の幅であり、Ａが、平面（Ｘ、Ｚ）内における円筒状芯（５）の横断面の面積である、フェーシング要素。これにより、固定特性の改善が得られる。
2013524050.tif 000002
【特許請求の範囲】
【請求項１】
安定処理土構造体内において使用するためのフェーシング要素（３４）であって、長手方向Ｘおよび高さ方向Ｚに沿って延在する前面（３１）および後面（３２）と、前記前面と前記後面との間の本体部と、を備え、前記本体部は、前記後面（３２）に開口（３６）を有する中空部分（３７）を少なくとも備え、円筒状芯（５）が、前記本体部と結合し、前記中空部分（３７）内に少なくとも部分的に配置されて、フィル補強ストリップ（２）のための固定領域を形成する、フェーシング要素（３４）において、前記円筒状芯（５）は、前記長手方向Ｘに対して実質的に平行に延在し、前記円筒状芯（５）の横断面は、平面（Ｘ、Ｚ）に対して垂直な平面（Ｙ、Ｚ）内において、前記方向Ｚに沿った仮想直線（５３）により区分される２つの連続部分（５１、５２）から構成され、前記第１の部分（５１）は、前記仮想直線（５３）から、前記フェーシング要素の前記後面（３２）とは実質的に逆方向に向いた端部（５４）にかけて、前記方向Ｙにおいて連続的にサイズが縮小し、前記第２の部分（５２）は、前記仮想直線（５３）から、前記後面（３２）の方向に向いた端部（５５）にかけて、連続的にサイズが一定でありおよび／または縮小し、
Ｌ２≧１．１×ｄ１、および
Ａ≧０．２４×ｄ１２
であり、
Ｌ２が、前記Ｙ方向に従って測定した前記第１の部分（５１）の前記端部（５４）と前記後面（３２）との間の距離であり、
ｄ１が、前記第１の部分（５１）の前記端部（５４）において前記Ｘ方向に従って測定した前記円筒状芯（５）の幅であり、
Ａが、前記平面（Ｙ、Ｚ）内における前記円筒状芯（５）の横断面の面積であることを特徴とするフェーシング要素。
【請求項２】
前記第２の部分（５２）は、前記仮想直線（５３）から、前記後面（３２）の方向に向いた前記端部（５５）にかけて、連続的にサイズが縮小する請求項１に記載のフェーシング要素。
【請求項３】
Ｌ２≧１．３×ｄ１である請求項１または２に記載のフェーシング要素。
【請求項４】
Ａ≧０．４０×ｄ１２である請求項１から３のいずれか一項に記載のフェーシング要素。
【請求項５】
Ｌ２／Ｌ１≧０．５であり、
Ｌ１が、前記Ｙ方向に沿って前記円筒状芯（５）を通る線に従って測定した前記後面（３２）と前記前面（３１）との間の最大距離である請求項１から４のいずれか一項に記載のフェーシング要素。
【請求項６】
前記第１の部分（５１）の前記円筒状芯横断面が、半円形、半楕円形、半長円形からなるリスト内において選択される請求項１から５のいずれか一項に記載のフェーシング要素。
【請求項７】
前記第２の部分（５２）の前記円筒状芯横断面が、半円形、半楕円形、半長円形、三角形、台形四辺形、矩形から構成されるリスト内において選択される請求項１から６のいずれか一項に記載のフェーシング要素。
【請求項８】
前記本体部（３４）および前記円筒状芯（５）は、同一の注型材料で一体的に注型される請求項１から７のいずれか一項に記載のフェーシング要素。
【請求項９】
前記フェーシング要素（３４）は、パネルの形態であり、前記第１の部分（５１）の前記端部（５４）と前記後面（３２）との間の距離Ｌ２は、前記パネル形状フェーシング要素（３４）の厚さの少なくとも半分である請求項１から８のいずれか一項に記載のフェーシング要素。
【請求項１０】
安定処理土構造体であって、前記安定処理土構造体の前面の背後に位置するフィル（１）の補強区域（１１）を貫通して延在するフィル補強ストリップ（２）と、前記前面に沿って配置され長手方向Ｘ´および高さ方向Ｚ´に沿って延在するフェーシング（３）と、を備え、前記フェーシング（３）は、請求項１から９のいずれか一項に記載のフェーシング要素（３４）を少なくとも備え、前記方向ＸおよびＺは、前記方向Ｘ´およびＺ´と一致するように設定され、前記フィル補強ストリップ（２）は、前記フェーシング要素の前記円筒状芯（５）の周囲に開ループ（２５）を形成するように配置され、前記開ループ（２５）の両側から、前記フィル補強ストリップのセグメント（２６、２７）が延在し、前記セグメント（２６、２７）は、前記フィル（１）内に少なくとも部分的に延在する安定処理土構造体。
【請求項１１】
前記開ループ（２５）を形成する前記ストリップ（２）の表面（２１＋２２＋２３）が、前記円筒状芯（５）の前記第１の部分（５１）の前記横断面の外側外周部の実質的に全体に、および前記円筒状芯（５）の前記第２の部分（５２）の前記横断面の前記外側外周部の少なくとも一部に、接触およびこれを圧迫する請求項１０に記載の安定処理土構造体。
【請求項１２】
前記開ループ（２５）を形成する前記ストリップ（２）の表面（２２、２３）が、前記円筒状結合芯（５）の前記第２の部分（５２）の前記外側外周部の少なくとも２０％、例えば少なくとも５０％などに接触する請求項１１に記載の安定処理土構造体。
【請求項１３】
前記開ストリップループ（２５）から延在する２つのセグメント（２６、２７）が、同一のスロット（３６）を通り前記フェーシングから出る請求項１０から１２のいずれか一項に記載の安定処理土構造体。
【請求項１４】
前記開ストリップループ（２５）から延在する前記２つのセグメント（２６、２７）は、２つの異なるスロット（１２１、１２２）を通り前記フェーシングから出る請求項１０から１２のいずれか一項に記載の安定処理土構造体。
【請求項１５】
安定処理土構造体が、前記安定処理土構造体の前面の背後に位置するフィル（１）の補強区域（１１）を貫通して延在するフィル補強ストリップ（２）、および前記前面に沿って配置され長手方向Ｘ´および高さ方向Ｚ´に沿って延在するフェーシング（３）を備え、前記補強ストリップ（２）は、各固定領域（３５）において前記フェーシング（３）に固定される、前記安定処理土構造体を建造するための方法であって、
ａ）請求項１から９のいずれか一項に記載のフェーシング要素（３４）の方向ＸおよびＺが方向Ｘ´およびＺ´と一致するように設定された、前記フェーシング要素（３４）を少なくとも使用することにより、前記フェーシング（３）の少なくとも一部を建造するステップと、
ｂ）前記フェーシング要素の前記円筒状芯（５）の周囲に開ループ（２５）を形成するように、および前記開ループ（２５）の両側から前記補強ストリップ（２）のセグメント（２６、２７）が延在するように、前記ステップａ）の前記フェーシング要素の少なくとも固定領域に前記フィル補強ストリップ（２）を位置決めするステップと、
ｃ）前記フィル補強ストリップ（２）を覆うようにフィル材料を導入し締め固めるステップと、
を含む方法。
【発明の詳細な説明】
【技術分野】
【０００１】
本発明は、安定処理土構造体内において使用するためのフェーシング要素に関する。また、本発明は、前記フェーシング要素を備える安定処理土構造体、および安定処理土構造体または補強土構造体を建造するための方法に関する。この構築技術は、通常は、擁壁、橋台、等々の構造体を作製するために使用される。
【背景技術】
【０００２】
安定処理土構造体は、締固めフィル、フェーシング、および通常はフェーシングに連結される補強材の組合せである。補強材は、この構造体に対してかかり得る応力に応じた密度を有する土の中に配置され、この土の推力は、土−補強材間の摩擦の反作用を受ける。
【０００３】
より詳細には、本発明は、補強材が、例えばポリエステル繊維などをベースとする合成材料からなるフィル補強ストリップの形態である例に関する。
【０００４】
フェーシングは、殆どの場合、例えば安定処理土構造体の前面を覆うように並置されたスラブまたはブロックなどの既製コンクリート要素の形態のフェーシング要素から構成される。安定処理土構造体が１つまたは複数の段丘を有する場合には、異なる高さのフェーシング間において、この前面に水平方向ステップが存在し得る。
【０００５】
フィル内に配置されるフィル補強ストリップは、通常は、様々な形態をとり得る機械的連結部材によってフェーシングに固定される。安定処理土構造体が完成すると、フィル内に分配された補強材は、場合によっては最大で数トンまでの高荷重を伝達する。これらのストリップのフェーシングへの連結は、全体の結合性を維持するために、強固でなければならない。
【０００６】
フェーシング要素は、長手方向Ｘおよび高さ方向Ｚに沿って延在する前面および後面と、前記前面と前記後面との間の本体部とを備える。
【０００７】
いくつかの公知のフェーシング要素の本体部は、後面に開口を有する中空部分を少なくとも備え、円筒状芯が、本体部と結合し、中空部分内に少なくとも部分的に配置されて、フィル補強ストリップのための固定領域を形成する。
【０００８】
特許文献１は、フィル補強ストリップを受けるように意図された通路が、フェーシング要素の厚さの範囲内においてＣ字形状を成す、フェーシング要素の例を開示している。
【０００９】
先行のフェーシング要素が、広く普及してかつ有効に使用されているが、このフェーシング要素の円筒状芯は、通常、フィル補強ストリップにより引っ張られた場合に曲げモードに従って破損することが知られている。この破壊モードにより、固定領域の効率が限定されるため、前記フェーシング要素を備える安定処理土構造体を設計する場合には、この破壊モードを考慮することが必要となる。
【先行技術文献】
【特許文献】
【００１０】
【特許文献１】米国特許第５，８３９，８５５号明細書
【発明の概要】
【発明が解決しようとする課題】
【００１１】
本発明の１つの目的は、上述の問題の発生を低下させ得る、安定処理土構造体内において使用するための新規のフェーシング要素を提案することである。
【課題を解決するための手段】
【００１２】
したがって、本発明は、安定処理土構造体内において使用するためのフェーシング要素であって、長手方向Ｘおよび高さ方向Ｚに沿って延在する前面および後面と、前記前面と前記後面との間の本体部とを備え、前記本体部が、後面に開口を有する中空部分を少なくとも備え、円筒状芯が、本体部と結合し、中空部分内に少なくとも部分的に配置されて、フィル補強ストリップのための固定領域を形成する、フェーシング要素において、円筒状芯が、長手方向Ｘに対して実質的に平行に延在し、円筒状芯の横断面が、平面（Ｘ、Ｚ）に対して垂直な平面（Ｙ、Ｚ）内において、方向Ｚに沿った仮想直線により区分される２つの連続部分から構成され、第１の部分が、仮想直線から、このフェーシング要素の後面とは実質的に逆方向に向いた端部にかけて、方向Ｙにおいて連続的にサイズが縮小し、第２の部分が、仮想直線から、前記後面の方向に向いた端部にかけて、連続的にサイズが一定でありおよび／または縮小し、
Ｌ２≧１．１×ｄ１、および
Ａ≧０．２４×ｄ１２
であり、
Ｌ２が、Ｙ方向に従って測定した第１の部分の端部と後面との間の距離であり、
ｄ１が、第１の部分の端部においてＸ方向に従って測定した円筒状芯の幅であり、
Ａが、平面（Ｙ、Ｚ）内における円筒状芯の横断面の面積である、フェーシング要素を提案する。
【００１３】
このフェーシング要素の前記形状およびジオメトリ上の特徴により、フィル補強ストリップによって引っ張られた場合の曲げモードによる円筒状芯の破損が回避される。本発明者らは、前記フェーシング要素の円筒状芯が、剪断モードに従って破損することに気付いた。
【００１４】
これら２つの異なるモードに従って破損したサンプルを比較すると、曲げモードに従って破損する先行の公知のフェーシング要素の芯は、その２つの端部間で、大まかには前記芯の中間において破損するが、本発明によるフェーシング要素の芯は、本体部に結合的に装着された端部にて破損することが分かる。
【００１５】
あるいは、本発明のフェーシング要素中に形成されるクラックは、前記本体部内において形成されることが分かる。これらのクラックは、フィル補強ストリップがＹ方向に引っ張られた場合に、通常は（Ｘ、Ｚ）平面内において４つのほぼ４５°方向に形成される。
【００１６】
本発明者らは、本発明によるフェーシング要素内に放散される破壊エネルギーが、芯が曲げモードに従って破損する場合に放散される破壊エネルギーに比べて著しく高いことに気付いた。
【００１７】
さらに、有利には、前記フェーシング要素を有する安定処理土構造体を設計することが可能となる。一実施形態によれば、以前より知られているフェーシング要素に比べて本発明によるフェーシング要素の厚さを大幅に縮小し、これらの両フェーシング要素において同程度の引っ張り抵抗を得ることが可能となる。
【００１８】
単独のものとして、または組み合わされるものとして見なし得る、さらなる実施形態によれば、
→  第２の部分は、仮想直線から、後面の方向に向いた端部にかけて、連続的にサイズが縮小する。
→  Ｌ２≧１．３×ｄ１である。
→  Ａ≧０．４０×ｄ１２である。
→  Ｌ２／Ｌ１≧０．５０であり、Ｌ１が、Ｙ方向に沿って円筒状芯を通る線に従って測定した後面と前面との間の最大距離である。
→  第１の部分の円筒状芯横断面が、半円形、半楕円形、半長円形からなるリスト内において選択される。
→  第２の部分の円筒状芯横断面が、半円形、半楕円形、半長円形、三角形、台形四辺形、矩形から構成されるリスト内において選択される。
→  本体部および円筒状芯が、同一の注型材料で一体的に注型され、また本体部および円筒状芯は、異なる材料から作製されてもよく、また円筒状芯は、単体で製造され、次いで型内に導入されて、本体部を注型し、円筒状芯を本体部と結合させてもよい。
→  本体部は、コンクリートから作製される。
→  円筒状芯の横断面の面積Ａは、Ｘ軸に沿って実質的に一定である。
→  フェーシング要素は、パネルの形態であり、第１の部分の端部と後面との間の距離Ｌ２は、パネル形状フェーシング要素の厚さの少なくとも半分である。
【００１９】
また、本発明は、安定処理土構造体であって、この安定処理土構造体の前面の背後に位置するフィルの補強区域を貫通して延在するフィル補強ストリップと、前記前面に沿って配置され長手方向Ｘ´および高さ方向Ｚ´に沿って延在するフェーシングとを備え、フェーシングが、本発明によるおよび上記において開示したフェーシング要素を少なくとも備え、方向ＸおよびＺが、方向Ｘ´およびＺ´と一致するように設定され、フィル補強ストリップが、前記フェーシング要素の円筒状芯の周囲に開ループを形成するように配置され、前記開ループの両側から、フィル補強ストリップのセグメントが延在し、前記セグメントが、フィル内に少なくとも部分的に延在する、安定処理土構造体に関する。
【００２０】
前記安定処理土構造体の一実施形態によれば、開ループを形成する前記ストリップの表面が、円筒状芯の第１の部分の横断面の外側外周部の実質的に全体に、および円筒状芯の第２の部分の横断面の外側外周部の少なくとも一部に、接触し、これを圧迫する。前記実施形態によれば、圧迫荷重が、円筒状芯の周囲に少なくとも部分的に印加される。前記実施形態は、固定領域の引っ張り抵抗をさらに改善するのに役立つ。
【００２１】
前出の実施形態によれば、開ループを形成するストリップの表面が、円筒状結合芯の第２の部分の外側外周部の少なくとも２０％、例えば少なくとも５０％などに接触してもよい。
【００２２】
一実施形態によれば、開ループから延在する２つのセグメントが、同一のスロットを通りフェーシングから出る。別の実施形態によれば、これらのセグメントは、２つの異なるスロットを通り外に出る。前記２つの異なるスロットは、同一の（Ｘ、Ｙ）平面内に位置するか、または２つの別個の（Ｘ、Ｙ）平面内に設置されてもよい。
【００２３】
また、本発明は、安定処理土構造体が、安定処理土構造体の前面の背後に位置するフィルの補強区域を貫通して延在するフィル補強ストリップ、および前記前面に沿って配置され長手方向Ｘ´および高さ方向Ｚ´に沿って延在するフェーシングを備え、補強ストリップが、各固定領域においてフェーシングに固定される、安定処理土構造体を建造するための方法であって、
ａ）本発明によるおよび上記において開示したフェーシング要素の方向ＸおよびＺが方向Ｘ´およびＺ´と一致するように設定された、フェーシング要素を少なくとも使用することにより、フェーシングの少なくとも一部を建造するステップと、
ｂ）前記フェーシング要素の円筒状芯の周囲に開ループを形成するように、および開ループの両側から補強ストリップのセグメントが延在するように、ステップａ）のフェーシング要素の少なくとも固定領域にフィル補強ストリップを位置決めするステップと、
ｃ）前記フィル補強ストリップを覆うようにフィル材料を導入し締め固めるステップと、
を含む、方法に関する。
【００２４】
添付の図面を参照することにより、いくつかの非限定的な例示の実施形態の以下の説明から、本発明の他の特徴および利点が明らかになろう。
【図面の簡単な説明】
【００２５】
【図１】構築プロセスにおける、本発明による安定処理土構造体の概略的な側面断面図である。
【図２】平面（Ｙ、Ｚ）による、本発明の一実施形態によるフェーシング要素の概略的な部分横断面図である。
【図３】平面（Ｘ、Ｙ）による、本発明の一実施形態によるフェーシング要素の概略的な部分横断面図である。
【図４】平面（Ｙ、Ｚ）による、本発明の他の非限定的な実施形態の概略的な部分横断面図である。
【図５】平面（Ｙ、Ｚ）による、本発明の他の非限定的な実施形態の概略的な部分横断面図である。
【図６】平面（Ｙ、Ｚ）による、本発明の他の非限定的な実施形態の概略的な部分横断面図である。
【図７】平面（Ｙ、Ｚ）による、本発明の他の非限定的な実施形態の概略的な部分横断面図である。
【図８】平面（Ｙ、Ｚ）による、本発明の他の非限定的な実施形態の概略的な部分横断面図である。
【図９】平面（Ｙ、Ｚ）による、本発明の他の非限定的な実施形態の概略的な部分横断面図である。
【図１０】平面（Ｙ、Ｚ）による、本発明の他の非限定的な実施形態の概略的な部分横断面図である。
【図１１】平面（Ｙ、Ｚ）による、本発明の他の非限定的な実施形態の概略的な部分横断面図である。
【図１２ａ】平面（Ｙ、Ｚ）による、本発明の他の非限定的な実施形態の概略的な部分横断面図である。
【図１２ｂ】平面（Ｘ、Ｙ）に従って描かれた図１２ａの実施形態に関する図である。
【発明を実施するための形態】
【００２６】
これらの図面内の要素は、単純化および明快化を目的として図示され、必ずしも縮尺通りに描かれてはいない点が、同業者には理解される。例えば、これらの図面内の要素のいくつかの寸法は、本発明の実施形態の理解を促すのを助けるために、他の要素に比べて誇張される場合がある。異なる図面内の同様の参照記号は、類似の部分を指す。
【００２７】
図１は、面４の前における安定処理土擁壁または安定処理土構造体の構築に対する本発明の適用を示す。補強材２が中に分配された締固めフィル１は、この構造体の正面側においては、パネルの形態の既製要素３４などのフェーシング要素を並置することにより形成されるフェーシング３によって画定され、背面側においては、安定処理土構造体壁部が建造される際に当接する土によって画定される。
【００２８】
フェーシング３は、長手方向Ｘ´および高さ方向Ｚ´に沿って延在する。フェーシング３は、垂直でもまたは傾斜していてもよい。
【００２９】
フェーシング要素３４は、前面３１および後面３２を有する。
【００３０】
補強材は、この構造体の前面の裏に位置するフィルの補強区域１１を貫通して延在する。フィル補強ストリップを備えていない区域１２が、補強区域１１と面４との間に位置してもよい。
【００３１】
補強材２は、フェーシング３の裏に水平面方向に延在する可撓性ストリップの形態の合成補強部材を備える。これらは、特に、ポリエチレン内に封入されたポリエステル繊維をベースとするフィル補強ストリップであってもよい。
【００３２】
補強ストリップ２は、固定領域３５において、共に接合されることによりフェーシング３を形成する既製要素３４に装着される。これらの要素３４は、典型的には、鉄筋コンクリートから作製される。図示する例においては、既製要素３４は、パネルの形態をとる。また、既製要素３４は、特にブロック形態などの他の形態をとることが可能である。一例によれば、かかる要素３４のコンクリートが注型される場合に、１つまたは複数の補強ストリップ２が、型内に設置されて、ストリップ−要素間固定を実現してもよい。コンクリートが固化した後には、各ストリップは、この既製要素から出現し、フィル材料内に設置されることとなる、２つのセクションを有する。別の実施形態によれば、補強ストリップは、安定処理土構造体を建造する際に、フェーシング要素を配置した後に固定領域３５に導入される。
【００３３】
安定処理土構造体を建造するためには、手順は、以下の通りであってもよい。
ａ）フェーシング要素３４のいくつかを配置することにより、次いでフィル材料をある深さにわたって導入するのを可能にする。公知の態様においては、フェーシング要素の建造および位置決めは、それらの間に配置される組立部材によってより容易になり得る。ストリップ２は、フェーシングが建造される際に、ストリップ２の中のいくつかが同一の水平高さに配置されるように、フェーシング要素３４の上に位置決めされる。
ｂ）フィル材料１１、１２を導入し、補強ストリップ２を配置するための次の指定の高さに達するまでこれらの材料を漸進的に締め固める。
ｃ）この高さにてフィルの上に補強ストリップ２を配置する。
ｄ）この設置したばかりの補強ストリップ２を覆うようにフィル材料を導入する。このフィル材料は、導入されるにつれて、締め固められる。
ｅ）複数の高さのストリップが一連のフェーシング要素３４ごとに設置される場合には、ステップｂ）からステップｄ）までを繰り返す。
ｆ）フィルの上方高さに達するまでステップａ）からステップｅ）を繰り返す。
【００３４】
フィル材料を導入および締め固める際に、補強ストリップ２は、より低いレベルの張力を受けた状態にすでに置かれている。この張力は、ストリップとフィル材料との間の摩擦により生じ、構造体の補強を確実なものにする。この張力を良好な条件下において確立するためには、ある高さのストリップをそれらのフェーシング要素から出現させて、これらのストリップ全てがこの高さに正確に位置合わせされるようにすることが推奨される。また、これらのストリップがフェーシングから出現する際に、フィル材料内において捩じれることがないように、ストリップを水平に配向することが推奨される。
【００３５】
図２および図３は、本発明の一実施形態によるフェーシング要素３４の部分横断面図である。フェーシング要素３４は、長手方向Ｘおよび高さ方向Ｚに沿って延在する前面３１および後面３２と、前記前面と前記後面との間の本体部とを備える。前記本体部は、後面３２に開口３６を有する中空部分３７を少なくとも備え、円筒状芯５が、本体部と結合し、中空部分３７内に少なくとも部分的に配置されて、フィル補強ストリップのための固定領域３５を形成する。円筒状芯３５は、長手方向Ｘに対して実質的に平行に延在し、その横断面は、平面（Ｘ、Ｚ）に対して垂直な平面（Ｙ、Ｚ）内において、方向Ｚに沿った仮想直線５３により区分される２つの連続部分５１、５２から構成される。第１の部分５１は、仮想直線５３から、フェーシング要素の後面３２とは実質的に逆方向に向いた端部５４にかけて、方向Ｙにおいて連続的にサイズが縮小し、第２の部分５２は、仮想直線５３から、前記後面３２の方向に向いた端部５５にかけて、連続的にサイズが縮小する。
【００３６】
本発明によるフェーシング要素の前記実施形態の主要なジオメトリ上の特徴は、
→  Ｌ１が、フェーシング要素の厚さである、すなわち、Ｙ方向に沿って円筒状芯５を通る線に従って測定した前面３１と後面３２との間の最大距離である。
→  Ｌ２が、Ｙ方向に沿って測定した第１の部分５１の端部５４と後面３２との間の距離である。
→  Ｌ３が、Ｙ方向に沿って測定した第２の部分５２の端部５５と後面３２との間の距離である。
→  ｄ１が、第１の部分５１の端部５４においてＸ方向に従って測定した円筒状芯５の幅である。
→  ｄ２が、第２の部分５２の端部５５においてＸ方向に従って測定した円筒状芯５の幅である。
→  ｄ３が、後面３２上においてＸ方向に従って測定した開口３６の幅である。
→  Ｌ１が、Ｚ方向に従って測定した中空部分３７の最大距離である。
→  Ｌ２が、Ｚ方向に従って測定した円筒状芯５の最大距離である。
→  Ｌ３が、後面３２上においてＺ方向に従って測定した中空部分３７の開口３６の最大部分のサイズである。
→  Ａが、平面（Ｙ、Ｚ）内において測定した円筒状芯５の横断面の面積である。
【００３７】
図２および図３の実施形態に限定されない、ならびに他の実施形態にも一般化可能な実施形態によれば、
→  厚さＬ１は、Ｚ方向に沿って一定であり、フェーシング要素全体の厚さは、Ｙ方向に沿って一定であってもよい。
→  距離ｄ３は、距離ｄ２以上である。
→  距離ｄ２は、距離ｄ１以上である。
→  端部５５は、中空部分３７の内部に位置し、距離Ｌ３は、例えば距離Ｌ１の１０％以上など、正の値として見なす。
→  中空部分３７の最大距離に一致するＺ方向による線は、仮想直線５３を含む。
→  距離Ｌ３は、距離Ｌ２未満である。
【００３８】
本発明によれば、
Ｌ２≧１．１×ｄ１、および
Ａ≧０．２４×ｄ１２
である。
【００３９】
本発明によるフェーシングのジオメトリ特徴により、フィル補強ストリップにより引っ張られた場合に、円筒状芯の破損が、剪断モードに従って有利に生じることを、実験により実証することが可能である。
【００４０】
前記円筒状芯の抵抗は、Ｌ２≧１．３×ｄ１の場合にも、および／またはＡ≧０．４０×ｄ１２の場合にも、および／またはＬ２／Ｌ１≧０．５０の場合にも、強化される。
【００４１】
図２および図３の実施形態によれば、円筒状芯５および中空部分３７は、前記部分の中間を通る（Ｙ、Ｚ）平面に対して平行な平面に従って対称である。
【００４２】
円筒状芯の第１の部分５１の横断面は、半円形であり、前記芯の第２の部分は、半楕円形である。
【００４３】
また、図２は、フィル補強ストリップ２を、フェーシング要素３４の固定領域３５にどのように配置し得るかを示す。ストリップ２は、円筒状芯５の周囲に開ループ２５を形成するように配置され、前記開ループ２５の両側から、セグメント２６、２７が延在し、これらのセグメント２６、２７は、フィル内に少なくとも部分的に延在するのに適するように、フェーシング要素の後面３２から出現する。
【００４４】
一実施形態によれば、ストリップ２の表面２１＋２２＋２３は、芯５の外側表面に接触する。表面２１は、円筒状芯の第１の部分５１の横断面の外周部の外側表面の実質的に全体を圧迫し、表面２２および２３は、円筒状芯５の第２の部分５２の横断面の外周部の外側表面の一部を圧迫する。円筒状芯の抵抗が、この実施形態によりさらに強化されることが、実証済みである。
【００４５】
図４〜図１２は、本発明によるフェーシング要素の他の実施形態の様々な例を示す。
【００４６】
図４の例においては、芯５は、図２の芯５の位置と比較して、角度αから傾斜される。
【００４７】
図５の例においては、フェーシング要素の後面３２とは実質的に逆方向に向いた端部５４が、２つの湾曲表面間に位置する平坦表面５７を備える。また、この例においては、第２の部分５２が、仮想直線５３から端部５５にかけて外側背向屈曲表面５６を備える。
【００４８】
図６の例においては、第２の部分５２の横断面の外周部が、曲線によって共に連結された２つの実質的直線６１および６２によって形成される。
【００４９】
図７の例においては、第２の部分５２の横断面の外周部が、フェーシング要素の後面３２にて終端する実質的直線７１により形成される。
【００５０】
第２の部分５２の横断面の外周部の端部は、フェーシング要素の後面３２と合流する直線７２により形成される。
【００５１】
図８の例においては、第２の部分５２の横断面の外周部は、湾曲セクション８１、背向屈曲部８２、およびＹ軸に対して実質的に平行な実質的直線８３によって形成される。前記外周部の端部は、フェーシング要素の後面３２と合流する直線８４により形成される。
【００５２】
図９の例においては、第２の部分５２の横断面の外周部は、湾曲セクション９１、背向屈曲部９２、およびＹ軸に対して実質的に平行な実質的直線９３によって形成される。この実施形態によれば、円筒状芯の横断面は、非対称であり、前記横断面の最下部分は、上方部分よりも平坦である。芯の端部５５の直線は、２つの厚さｅ９０およびｅ９１に区分することが可能であり、ｅ９０は、線５３の中間を通るＹ軸による線と横断面の端部の下方部分との間の距離に一致し、ｅ９１は、前記線と横断面の端部の上方部分との間の距離に一致する。したがって、ｅ９０は、ｅ９１よりも高くなる。
【００５３】
図１０の例においては、第２の部分５２の横断面の外周部は、Ｙ軸に対して平行な２つの平行直線１００により、ならびに線５３および後面３２と合流する端部５５により画定された矩形である。この実施形態によれば、ｅ３は、ｅ１と等しい。
【００５４】
図１１の例においては、芯５は、中空部分から外に突出し、部分１１１が、フェーシング要素の本体部の外部に延在する。
【００５５】
図１２の例においては、芯５は、開ストリップループで延在するフィル補強ストリップの２つのセグメントが、２つの異なるスロット１２１、１２２を通りフェーシングから出るように設計される。図１２の実施形態によれば、２つの異なるスロットは、同一平面（Ｘ、Ｙ）内に配置される。線１２３、１２４は、スロット１２１から出現し得るセグメント用の空間を画定し、線１２５、１２６は、スロット１２２から出現し得るセグメント用の空間を画定する。
【００５６】
一般的には、本発明のフェーシング要素および安定処理土構造体を建造するための関連する方法は、多数の構造体構成、ストリップ長さ、ストリップ設置密度、等々と適合し得るものである。
【符号の説明】
【００５７】
１  締固めフィル
２  補強材
３  フェーシング
４  面
１１  補強区域
１２  フィル補強ストリップを備えていない区域
２１  表面
２２  表面
２３  表面
２５  開ループ
２６  セグメント
２７  セグメント
３１  前面
３２  後面
３４  既製要素、フェーシング要素
３５  固定領域
３６  開口
３７  中空部分
５１  第１の部分
５２  第２の部分
５３  仮想直線
５４  端部
５５  端部
５６  外側背向屈曲表面
５７  平坦表面
６１  実質的直線
６２  実質的直線
７１  実質的直線
７２  直線
８１  湾曲セクション
８２  背向屈曲部
８３  実質的直線
８４  直線
９１  湾曲セクション
９２  背向屈曲部
９３  実質的直線
１００  平行直線
１１１  部分
１２１  スロット
１２２  スロット
１２３  線
１２４  線
１２５  線
１２６  線
【図１】
2013524050.tif 000003
【図２】
2013524050.tif 000004
【図３】
2013524050.tif 000005
【図４】
2013524050.tif 000006
【図５】
2013524050.tif 000007
【図６】
2013524050.tif 000008
【図７】
2013524050.tif 000009
【図８】
2013524050.tif 000010
【図９】
2013524050.tif 000011
【図１０】
2013524050.tif 000012
【図１１】
2013524050.tif 000013
【図１２ａ】
2013524050.tif 000014
【図１２ｂ】
2013524050.tif 000015
【国際調査報告】
2013524050.tif 000016
2013524050.tif 000017
2013524050.tif 000018